(57)【要約】【課題】個人の音楽的嗜好を考慮したプレイリストを作成することで、その場の盛り上がりをサポートするプレイリスト作成システムを提供する。【解決手段】このプレイリスト作成システムには、多数の楽曲データを記憶し、当該多数の楽曲データをプレイリストとして分類する分類機能及び通信機能を有するデジタル再生装置と、複数のデジタル再生装置と通信可能で、かつ楽曲データベースを有する楽曲再生ユニットとが備えられている。楽曲再生ユニットは、複数のデジタル再生装置から送信されたプレイリストの楽曲情報データを受信すると、複数のデジタル再生装置それぞれのプレイリストの中から、少なくとも２つのデジタル再生装置のプレイリストで共通する項目を有する楽曲を抽出して、当該抽出された楽曲を前記楽曲データベースから検索し、検索された楽曲に基づいて再生楽曲リストを作成する。【選択図】図１
2008158047.tif 000002
【特許請求の範囲】
【請求項１】
多数の楽曲データを記憶し、当該多数の楽曲データをプレイリストとして分類する分類機能及び通信機能を有するデジタル再生装置と、
複数の前記デジタル再生装置と通信可能で、かつ楽曲データベースを有する楽曲再生ユニットとを備え、
前記楽曲再生ユニットは、複数の前記デジタル再生装置から送信された前記プレイリストの楽曲情報データを受信すると、複数の前記デジタル再生装置それぞれの前記プレイリストの中から、少なくとも２つの前記デジタル再生装置の前記プレイリストで共通する項目を有する楽曲を抽出して、当該抽出された楽曲を前記楽曲データベースから検索し、検索された楽曲に基づいて再生楽曲リストを作成することを特徴とするプレイリスト作成システム。
【請求項２】
請求項１記載のプレイリスト作成システムにおいて、
前記楽曲再生ユニットは、前記再生楽曲リストを作成する際、共通する項目数の多い楽曲を優先することを特徴とするプレイリスト作成システム。
【請求項３】
請求項１又は２記載のプレイリスト作成システムにおいて、
前記プレイリストで共通する項目とは、選曲番号、曲名、アーティスト名、アルバム名、ジャンル名、年代、作曲家名、作詞家名、テンポのうち少なくとも１つを含むものであることを特徴とするプレイリスト作成システム。
【請求項４】
請求項１〜３の何れか一項に記載のプレイリスト作成システムにおいて、
前記楽曲再生ユニットは、前記楽曲データベースを有し、当該楽曲データベース内の楽曲を再生する再生装置と、当該再生装置に選曲指示を送信するリモコン装置とを備え、
前記再生装置は、前記デジタル再生装置と通信可能であり、前記デジタル再生装置から送信された前記プレイリストの楽曲情報データを受信すると、複数の前記デジタル再生装置それぞれの前記プレイリストの中から、少なくとも２つの前記デジタル再生装置の前記プレイリストで共通する楽曲を抽出して、当該抽出された楽曲を前記楽曲データベースから検索し、検索された楽曲に基づいて再生楽曲リストを作成することを特徴とするプレイリスト作成システム。
【請求項５】
請求項１〜３の何れか一項に記載のプレイリスト作成システムにおいて、
前記楽曲再生ユニットは、前記楽曲データベースを有し、当該楽曲データベース内の楽曲を再生する再生装置と、当該再生装置に選曲指示を送信するリモコン装置とを備え、
前記リモコン装置は、前記楽曲データベースを有し、かつ前記デジタル再生装置と通信可能であり、前記デジタル再生装置から送信された前記プレイリストの楽曲情報データを受信すると、複数の前記デジタル再生装置それぞれの前記プレイリストの中から、少なくとも２つの前記デジタル再生装置の前記プレイリストで共通する楽曲を抽出して、当該抽出された楽曲を前記楽曲データベースから検索し、検索された楽曲に基づいて再生楽曲リストを作成し、当該再生楽曲リストを選曲指示として前記再生装置に送信することを特徴とするプレイリスト作成システム。
【請求項６】
請求項５記載のプレイリスト作成システムにおいて、
前記リモコン装置は、前記楽曲情報データに対応する楽曲が前記楽曲データベース内にない場合には、当該楽曲の追加をリクエストするリクエスト指示を前記再生装置に送信し、
前記再生装置は、前記管理装置と通信可能であり、前記リモコン装置からのリクエスト指示を受信すると、当該リクエスト指示を前記管理装置に送信することを特徴とするプレイリスト作成システム。
【発明の詳細な説明】
【技術分野】
【０００１】
本発明は、プレイリスト作成システムに関する。
【背景技術】
【０００２】
従来、再生する楽曲順番（プレイリスト）を作成するプレイリスト作成システムは、カラオケシステムなどに適用されている。このカラオケシステムにおいては、カラオケ装置と、カラオケ装置に対して選曲指示を送信するリモコンなどから構成されていた（例えば特許文献１参照）。このカラオケシステムの選曲方式としては、カラオケ装置に備えられた操作キーを操作して選曲する方式や、リモコンに備えられた操作キーやタッチパネルなどで選曲する方式があった。近年では、赤外線通信可能な携帯電話に予め歌いたい楽曲を登録しておき、カラオケをする際に携帯電話を操作して、登録されていた楽曲の楽曲情報をカラオケ装置に送信することで選曲する方式も実現されている。このような各選曲方式により選曲された楽曲が、カラオケ装置でプレイリストとして作成されることになっている。
【特許文献１】特開２００２−３１２１８８号公報
【発明の開示】
【発明が解決しようとする課題】
【０００３】
ところで、カラオケへは、気の知れた仲間同士で行くことや、面識の少ない人同士で行くことがある。前者の場合であると参加者はわりと気兼ねなく自由に選曲することができるが、後者の場合には互いの音楽的嗜好があまり浸透していないので、ヒットチャートに載るような無難な選曲が行われることになる。
また、一般的にカラオケで洋楽が歌われるとことには好き嫌いが分かれる。洋楽を聴かない人にとっては苦痛になることもあり、洋楽を歌いたい人がすんなりと歌えないこともあった。
このようなことから、従来の選曲方式であると、面識の少ない人同士でのカラオケでは、本来歌いたい楽曲を歌うことができず、カラオケを十分に楽しむことができないことが多々あった。
本発明の課題は、個人の音楽的嗜好を考慮したプレイリストを作成することで、その場の盛り上がりをサポートするプレイリスト作成システムを提供することである。
【課題を解決するための手段】
【０００４】
請求項１記載の発明におけるプレイリスト作成システムは、
多数の楽曲データを記憶し、当該多数の楽曲データをプレイリストとして分類する分類機能及び通信機能を有するデジタル再生装置と、
複数の前記デジタル再生装置と通信可能で、かつ楽曲データベースを有する楽曲再生ユニットとを備え、
前記楽曲再生ユニットは、複数の前記デジタル再生装置から送信された前記プレイリストの楽曲情報データを受信すると、複数の前記デジタル再生装置それぞれの前記プレイリストの中から、少なくとも２つの前記デジタル再生装置の前記プレイリストで共通する項目を有する楽曲を抽出して、当該抽出された楽曲を前記楽曲データベースから検索し、検索された楽曲に基づいて再生楽曲リストを作成することを特徴としている。
【０００５】
請求項２記載の発明は、請求項１記載のプレイリスト作成システムにおいて、
前記楽曲再生ユニットは、前記再生楽曲リストを作成する際、共通する項目数の多い楽曲を優先することを特徴としている。
【０００６】
請求項３記載の発明は、請求項１又は２記載のプレイリスト作成システムにおいて、
前記プレイリストで共通する項目とは、選曲番号、曲名、アーティスト名、アルバム名、ジャンル名、年代、作曲家名、作詞家名、テンポのうち少なくとも１つを含むものであることを特徴としている。
【０００７】
請求項４記載の発明は、請求項１〜３の何れか一項に記載のプレイリスト作成システムにおいて、
前記楽曲再生ユニットは、前記楽曲データベースを有し、当該楽曲データベース内の楽曲を再生する再生装置と、当該再生装置に選曲指示を送信するリモコン装置とを備え、
前記再生装置は、前記デジタル再生装置と通信可能であり、前記デジタル再生装置から送信された前記プレイリストの楽曲情報データを受信すると、複数の前記デジタル再生装置それぞれの前記プレイリストの中から、少なくとも２つの前記デジタル再生装置の前記プレイリストで共通する楽曲を抽出して、当該抽出された楽曲を前記楽曲データベースから検索し、検索された楽曲に基づいて再生楽曲リストを作成することを特徴としている。
【０００８】
請求項５記載の発明は、請求項１〜３の何れか一項に記載のプレイリスト作成システムにおいて、
前記楽曲再生ユニットは、前記楽曲データベースを有し、当該楽曲データベース内の楽曲を再生する再生装置と、当該再生装置に選曲指示を送信するリモコン装置とを備え、
前記リモコン装置は、前記楽曲データベースを有し、かつ前記デジタル再生装置と通信可能であり、前記デジタル再生装置から送信された前記プレイリストの楽曲情報データを受信すると、複数の前記デジタル再生装置それぞれの前記プレイリストの中から、少なくとも２つの前記デジタル再生装置の前記プレイリストで共通する楽曲を抽出して、当該抽出された楽曲を前記楽曲データベースから検索し、検索された楽曲に基づいて再生楽曲リストを作成し、当該再生楽曲リストを選曲指示として前記再生装置に送信することを特徴としている。
【０００９】
請求項６記載の発明は、請求項５記載のプレイリスト作成システムにおいて、
前記リモコン装置は、前記楽曲情報データに対応する楽曲が前記楽曲データベース内にない場合には、当該楽曲の追加をリクエストするリクエスト指示を前記再生装置に送信し、
前記再生装置は、前記管理装置と通信可能であり、前記リモコン装置からのリクエスト指示を受信すると、当該リクエスト指示を前記管理装置に送信することを特徴としている。
【発明の効果】
【００１０】
本発明によれば、複数のデジタル再生装置から送信されたプレイリストの楽曲情報データを受信すると、楽曲再生ユニットは、複数のデジタル再生装置それぞれのプレイリストの中から、少なくとも２つのデジタル再生装置のプレイリストで共通する項目を有する楽曲を抽出して、当該抽出された楽曲を前記楽曲データベースから検索し、検索された楽曲に基づいて再生楽曲リストを作成するので、各ユーザの音楽的嗜好を汲んだ再生楽曲リストが自動的に作成されることになる。このように、各ユーザの音楽的嗜好を考慮したプレイリストが作成されると、面識の少ない人同士でのカラオケであったとしても場の盛り上がりをサポートすることが可能となる。
【発明を実施するための最良の形態】
【００１１】
まず、以下の実施の形態について説明する。図１は本発明に係るプレイリスト作成システムとしてのカラオケシステムの概略構成を表すブロック図である。この図１に示すように、カラオケシステム１には、本発明に係るデジタル再生装置としての複数のデジタルオーディオプレーヤ（以下ＤＡＰと称す。）１０Ａ〜１０Ｃと、本発明に係る楽曲再生ユニットとしてのカラオケユニット２０とが設けられている。
【００１２】
まずＤＡＰ１０Ａ〜１０Ｃについて説明する。なお、以下の説明においては、各ＤＡＰ１０Ａ〜１０Ｃの同一部分には同一符号を付して説明をする。図１に示すようにＤＡＰ１０Ａ〜１０Ｃには、通信部１１と、表示部１２と、記憶部１３と、音声出力部１４と、操作部１５と、操作部１５の操作に基づいて各部を制御する制御部１６とが設けられている。
【００１３】
通信部１１は、例えば、ＩｒＤＡ、ＲＦ、ＢＬＵＥＴＯＯＴＨなどの周知の規格に対応して外部機器と通信を行うものである。
表示部１２は、液晶ディスプレイや有機ＥＬディスプレイなどの表示手段により構成されていて、各種情報を表示するものである。
【００１４】
記憶部１３は、ハードディスクドライブ、フラッシュメモリなどの記憶手段により構成されていて、多数の楽曲データを記憶するものである。ここで、各楽曲データは、楽曲の音声波形をデジタル信号化したものであり、所定の条件毎或いはユーザの嗜好毎にプレイリストとして分類されている。記憶部１３は、各プレイリストを構成する楽曲の諸情報（例えば、曲名、アーティスト名、アルバム名、ジャンル名、年代、作曲家名、作詞家名、テンポ等）を楽曲情報データとして各プレイリスト毎に記憶している。
【００１５】
音声出力部１４は、音声出力コネクタに接続されたヘッドホンやスピーカに対して、楽曲データに基づく音声信号を出力するものである。
操作部１５は、例えばＤＡＰ１０Ａ〜１０Ｃの装置本体の表面に配置された操作キーなどにより構成されており、操作キーからの入力信号は制御部１６に出力されるようになっている。
【００１６】
制御部１６は、ＣＰＵ、ＲＡＭ、ＲＯＭなどを備えて構成されており、操作部１５からの入力信号に基づき、各部を制御する。
【００１７】
次に、カラオケユニット２０について説明する。図１に示すようにカラオケユニット２０には、楽曲データベースを有し、当該楽曲データベース内の楽曲を再生する再生装置としてのカラオケ装置３０と、当該カラオケ装置３０に選曲指示を送信するリモコン装置４０とが備えられている。
【００１８】
カラオケ装置３０には、ＤＡＰ用通信部３１と、楽曲用通信部３２と、リモコン用通信部３３と、表示部３４と、記憶部３５と、音声出力部３６と、操作部３７と、操作部３７の操作に基づいて各部を制御する制御部３８とが設けられている。
【００１９】
ＤＡＰ用通信部３１は、ＤＡＰ１０Ａ〜１０Ｃとの通信を可能とするため、ＤＡＰ１０Ａ〜１０Ｃの通信規格に対応したものが適用されている。
楽曲用通信部３２には、楽曲データを管理する外部の管理装置５０と通信可能に接続されており、管理装置５０から配信された楽曲データを受信したり、カラオケ装置３０には存在していない楽曲を管理装置５０にリクエストするリクエスト指示を送信したりする。
リモコン用通信部３３は、リモコン装置４０との通信を可能とするため、リモコン装置４０の通信規格に対応したものが適用されている。
【００２０】
表示部３４には、再生中の楽曲の歌詞や映像、その他の情報を表示するモニタ３４ａと、再生中の楽曲の選曲番号や、予約された楽曲の選曲番号や曲名等を表示する電光掲示部３４ｂとが設けられている。
【００２１】
記憶部３５には、管理装置５０から配信可能な楽曲のデータベース（楽曲データベース）が記憶されている。楽曲データベースには、各楽曲の諸情報（例えば、選曲番号、曲名、アーティスト名、アルバム名、ジャンル名、年代、作曲家名、作詞家名、テンポ等）がまとめられている。
【００２２】
音声出力部３６は、音声出力コネクタに接続されたスピーカに対して、楽曲データに基づく音声信号を出力するものである。
操作部３７は、例えばカラオケ装置３０の表面に配置された操作キーなどにより構成されており、操作キーからの入力信号は制御部３８に出力されるようになっている。
【００２３】
制御部３８は、ＣＰＵ、ＲＡＭ、ＲＯＭなどを備えて構成されており、操作部１５からの入力信号に基づき、各部を制御する。制御部３８は、リモコン装置４０から送信された選曲指示をリモコン用通信部３３で受信したり、ＤＡＰ１０Ａ〜１０Ｃから送信されたプレイリストの楽曲情報データをＤＡＰ用通信部３１で受信したりすると、これらの受信内容に基づいて再生楽曲リストを作成するようになっている。
【００２４】
例えば、リモコン装置４０から選曲指示を受信した場合には、制御部３８は、受信した楽曲順に再生楽曲リストを作成する。
他方、複数のＤＡＰ１０Ａ〜１０Ｃから楽曲情報データを受信した場合には、制御部３８は、複数のＤＡＰ１０Ａ〜１０Ｃそれぞれのプレイリストの中から、少なくとも２つのＤＡＰ１０Ａ〜１０Ｃのプレイリストで共通する項目を有する楽曲を抽出して、当該抽出された楽曲を楽曲データベースから検索し、検索された楽曲に基づいて再生楽曲リストを作成するようになっている。ここで、プレイリストで共通する項目とは、各楽曲の諸情報を構成する選曲番号、曲名、アーティスト名、アルバム名、ジャンル名、年代、作曲家名、作詞家名、テンポのうち少なくとも１つを含むものである。
そして、この再生楽曲リストの作成時においては、制御部３８は、共通する項目数の多い楽曲を優先する。
この検索により、複数のＤＡＰ１０Ａ〜１０Ｃのプレイリストから抽出された楽曲が楽曲データベース内にない場合には、制御部３８は、当該楽曲の追加をリクエストするリクエスト指示を管理装置５０に送信し、当該楽曲は除いて再生楽曲リストを作成するようになっている。
【００２５】
再生楽曲リストが作成されると、制御部３８は、楽曲用通信部３２を制御して、楽曲データを管理装置５０から受信し、取得した楽曲データを基に音声出力部３６を制御して、再生楽曲リスト順に楽曲データを再生するようになっている。
【００２６】
リモコン装置４０には、操作部４１と、送信部４２と、これらを制御する制御部４３とが設けられている。
【００２７】
操作部４１は、歌いたい楽曲を指定するための選曲指示を入力するものである。操作部４１は、例えばリモコン装置４０の表面に配置された操作キーやタッチパネルなどにより構成され、操作キー若しくはタッチパネルからの選曲指示信号は制御部４３に出力されるようになっている。
送信部４２は、例えば、ＩｒＤＡ、ＲＦ、ＢＬＵＥＴＯＯＴＨなどの周知の規格に対応してカラオケ装置３０と通信を行うものである。
【００２８】
制御部４３は、ＣＰＵ、ＲＡＭ、ＲＯＭなどを備えて構成されており、操作部４１からの選曲指示信号を送信するように、送信部４２を制御するようになっている。
【００２９】
以下、本実施形態の作用について説明する。
まず、ＤＡＰ１０Ａ〜１０Ｃからカラオケ装置３０にプレイリストが送信される際の工程を説明する。図２は、ＤＡＰ１０Ａ〜１０Ｃ及びカラオケ装置３０の各動作タイミングを表すタイミングチャートである。
【００３０】
図２に示すように、まず各ＤＡＰ１０Ａ〜１０Ｃのそれぞれ持ち主が自身のＤＡＰ１０Ａ〜１０Ｃでカラオケ装置３０に送信するプレイリストを選択する（ステップＳ１，Ｔ１，Ｕ１）。
【００３１】
ステップＳ２では、ＤＡＰ１０Ａの制御部１６は、通信部１１を制御して、ステップＳ１で選択したプレイリストＡを送信開始する旨（プレイリスト送信開始信号）をカラオケ装置３０に送信し、通知する。
【００３２】
カラオケ装置３０側では、ＤＡＰ１０Ａからのプレイリスト送信開始信号を受信すると、カラオケ装置３０の制御部３８は、プレイリストを受信するための準備を行い（ステップＶ１）、その後、ＤＡＰ用通信部３１を制御して、現在空いているデバイスＩＤ＝ａをＤＡＰ１０Ａに送信する（ステップＶ２）。
【００３３】
ＤＡＰ１０Ａ側では、カラオケ装置３０からデバイスＩＤを受信すると、ＤＡＰ１０Ａの制御部１６は、デバイスＩＤ＝ａの取得を認識し、表示部１２を制御してその旨を表示させる（ステップＳ３）。
【００３４】
一方、ステップＴ２では、ＤＡＰ１０Ｂの制御部１６は、通信部１１を制御して、ステップＴ１で選択したプレイリストＢを送信開始する旨（プレイリスト送信開始信号）をカラオケ装置３０に送信し、通知する。
【００３５】
カラオケ装置３０側では、ＤＡＰ１０Ｂからのプレイリスト送信開始信号を受信すると、ＤＡＰ用通信部３１を制御して、現在空いているデバイスＩＤ＝ｂをＤＡＰ１０Ｂに送信する（ステップＶ３）。
【００３６】
ＤＡＰ１０Ｂ側では、カラオケ装置３０からデバイスＩＤを受信すると、ＤＡＰ１０Ｂの制御部１６は、デバイスＩＤ＝ｂの取得を認識し、表示部１２を制御してその旨を表示させる（ステップＴ３）。
【００３７】
また、ステップＵ２では、ＤＡＰ１０Ｃの制御部１６は、通信部１１を制御して、ステップＵ１で選択したプレイリストＣを送信開始する旨（プレイリスト送信開始信号）をカラオケ装置３０に送信し、通知する。
【００３８】
カラオケ装置３０側では、ＤＡＰ１０Ｃからのプレイリスト送信開始信号を受信すると、ＤＡＰ用通信部３１を制御して、現在空いているデバイスＩＤ＝ｃをＤＡＰ１０Ｃに送信する（ステップＶ４）。
【００３９】
ＤＡＰ１０Ｃ側では、カラオケ装置３０からデバイスＩＤを受信すると、ＤＡＰ１０Ｃの制御部１６は、デバイスＩＤ＝ｃの取得を認識し、表示部１２を制御してその旨を表示させる（ステップＵ３）。
【００４０】
その後、カラオケ装置３０の制御部３８は、ＤＡＰ用通信部３１を制御して、デバイスＩＤ＝ａのＤＡＰ１０Ａを指定し選曲要求を送信する（ステップＶ５）。
【００４１】
ＤＡＰ１０Ａ側では、カラオケ装置３０から選曲要求を受信すると、ＤＡＰ１０Ａの制御部１６は、通信部１１を制御して、プレイリストＡ内の楽曲情報データにパケットＩＤ＝ａを付加してカラオケ装置３０に送信し（ステップＳ４）、処理を終了する。
【００４２】
その後、カラオケ装置３０の制御部３８は、ＤＡＰ用通信部３１を制御して、デバイスＩＤ＝ｂのＤＡＰ１０Ｂを指定し選曲要求を送信する（ステップＶ６）。
【００４３】
ＤＡＰ１０Ｂ側では、カラオケ装置３０から選曲要求を受信すると、ＤＡＰ１０Ｂの制御部１６は、通信部１１を制御して、プレイリストＢ内の楽曲情報データにパケットＩＤ＝ｂを付加してカラオケ装置３０に送信し（ステップＴ４）、処理を終了する。
【００４４】
その後、カラオケ装置３０の制御部３８は、ＤＡＰ用通信部３１を制御して、デバイスＩＤ＝ｃのＤＡＰ１０Ｃを指定し選曲要求を送信する（ステップＶ７）。
【００４５】
ＤＡＰ１０Ｃ側では、カラオケ装置３０から選曲要求を受信すると、ＤＡＰ１０Ｃの制御部１６は、通信部１１を制御して、プレイリストＣ内の楽曲情報データにパケットＩＤ＝ｃを付加してカラオケ装置３０に送信し（ステップＵ４）、処理を終了する。
【００４６】
全てのプレイリストＡ〜Ｃを受信すると、カラオケ装置３０の制御部３８は、プレイリストＡ〜Ｃの中から、少なくとも２つのプレイリストで共通する項目を有する楽曲を抽出する（ステップＶ８）。ここで、項目とは、楽曲情報データを構成する楽曲の諸情報であり、例えばアーティスト名が同一であったり、曲名が同一であるといったように、対応する情報が同一である場合を項目が共通すると判断する。なお、共通する項目が全く存在していない場合には、カラオケ装置３０の制御部３８は、表示部３４を制御して、共通楽曲がない旨を表示させる。
【００４７】
そして、カラオケ装置３０の制御部３８は、抽出された楽曲を記憶部３５内の楽曲データベースから検索する（ステップＶ９）。この検索の際、楽曲データベース内に存在していない楽曲については、制御部３８は、楽曲用通信部３２を制御して、当該楽曲の追加をリクエストするリクエスト指示を管理装置５０に送信する。
【００４８】
その後、カラオケ装置３０の制御部３８は、検索された楽曲に基づき、再生楽曲データを作成し（ステップＶ１０）、終了する。
【００４９】
これら一連の動作を、表１及び表２を参照に具体的に説明する。表１はＤＡＰ１０Ａ〜１０Ｃのプレイリスト例を表し、表２は、各プレイリストの楽曲情報データに基づき作成された再生楽曲リストを表している。
【００５０】
【表１】
2008158047.tif 000003
【００５１】
【表２】
2008158047.tif 000004
【００５２】
カラオケ装置３０の制御部３８は、各ＤＡＰ１０Ａ〜１０ＣからプレイリストＡ〜Ｃを受信すると、少なくとも２つのプレイリストで共通する項目を有する楽曲を抽出する。表１の例の場合、抽出されるのは、プレイリストＡ−３とプレイリストＢ−２とで曲名、アーティスト名とも共通する「○を閉じて：△村△」、プレイリストＡ−５とプレイリストＢ−３とで曲名、アーティスト名とも共通する「も×笑□：二赤×」、プレイリストＡ−７とプレイリストＢ−５とプレイリストＣ−７とでアーティスト名が共通する「ＴＯ×ＩＯ：く×り○ぱ」、「To×n：く×り○ぱ」、「ロ×ズ：く×り○ぱ」、プレイリストＢ−１とプレイリストＣ−５でアーティスト名が共通する「ロ○△ソン：○△イト×」、「水●、○△イト×」である。
【００５３】
これら全ての楽曲を楽曲データベースから検索できたとすると、カラオケ装置３０の制御部３８は、検索された楽曲に基づいて再生楽曲リストを作成する。この際、再生楽曲リストは、各ユーザが１曲ずつ順に歌える歌順で、なおかつ共通項目の多い曲が優先されるように作成される。
【００５４】
基本となる歌順がＤＡＰ１０Ａ→ＤＡＰ１０Ｂ→ＤＡＰ１０Ｃであると、表２に示すように、まずプレイリストＡの中から他のプレイリストＢ，Ｃの楽曲と共通項の多い楽曲（○を閉じて：△村△）が再生楽曲リストの１番目に登録される。次いで、プレイリストＢの中から他のプレイリストＡ，Ｃの楽曲と共通項の多い楽曲（も×笑□：二赤×）が再生楽曲リストの２番目に登録される。その後、プレイリストＣの中から他のプレイリストＡ，Ｂの楽曲と共通項の多い楽曲（ＴＯ×ＩＯ：く×り○ぱ）が再生楽曲リストの３番目に登録される。以下、表２に示すように再生楽曲リストが作成される。
【００５５】
なお、本実施形態では、抽出した楽曲数が、再生楽曲リストの最大曲数未満であるために、抽出した以外の楽曲、つまり共通項目なしの楽曲も含めて再生楽曲リストを作成している。こうした場合、表２の曲番号７，８のように、共通項のある楽曲の方が共通項のない楽曲よりも下位となることもあるが、これは上述の「各ユーザが１曲ずつ順に歌える歌順」という条件が反映されているためである。
【００５６】
再生楽曲リストが作成されると、カラオケ装置３０の制御部３８は、再生楽曲リストの曲順に応じて各楽曲の再生処理を実行する。
【００５７】
以上のように、本実施形態によれば、複数のＤＡＰ１０Ａ〜１０Ｃから送信されたプレイリストＡ〜Ｃの楽曲情報データを受信すると、カラオケユニット２０は、複数のＤＡＰ１０Ａ〜１０ＣそれぞれのプレイリストＡ〜Ｃの中から、共通する項目を有する楽曲を抽出して、当該抽出された楽曲を前記楽曲データベースから検索し、検索された楽曲に基づいて再生楽曲リストを作成するので、各ユーザの音楽的嗜好を汲んだ再生楽曲リストが自動的に作成されることになる。このように、各ユーザの音楽的嗜好を考慮したプレイリストが作成されると、面識の少ない人同士でのカラオケであったとしても場の盛り上がりをサポートすることが可能となる。
【００５８】
なお、本発明は上記実施形態に限らず適宜変更可能であるのは勿論である。
例えば、本実施形態では、本発明に係るプレイリスト作成システムとしてカラオケシステムを例示して説明したが、デジタルな楽曲データのプレイリストを作成するものであれば如何なるシステムであっても構わない。カラオケシステム以外のものとしては、例えば通信可能な複数のデジタル再生装置からなるデジタル再生システムなどが挙げられる。この場合、当該システムをなす複数のデジタル再生装置のうち、少なくとも１つのデジタル再生装置に対して本発明に係る楽曲再生ユニットとしての機能を兼備させなくてはならない。
【００５９】
また、本実施形態ではデジタル再生装置としてデジタルオーディオプレーヤ（ＤＡＰ１）を例示して説明したが、デジタルな楽曲データを記憶し、なおかつ通信機能を有するものであれば如何なる再生装置であっても構わない。ＤＡＰ以外のものとしては、例えば音楽再生機能を有する携帯電話や、携帯ゲーム機器、デジタル動画再生装置などが挙げられる。
【００６０】
また、本実施形態では、楽曲が共通しているか否かを判断する際、楽曲の曲名及びアーティスト名を判断材料としているが、例えば、これら以外のアルバム名、ジャンル名、年代、作曲家名、作詞家名、テンポ等の楽曲情報データを判断材料としてもよい。
【００６１】
また、本実施形態では、各ＤＡＰ１０Ａ〜１０Ｃから送られたプレイリストＡ〜Ｃ内に共通する楽曲があるにおける再生楽曲リストの作成工程を説明したが、共通する楽曲がなくとも、再生楽曲リストが作成されることはもちろんである。具体的には、図３に示すように各プレイリストＡ〜Ｃのうち、楽曲データベースにない楽曲が除かれる。また、最少楽曲数のプレイリストＣの楽曲数よりも多い楽曲数のプレイリストＡ，Ｂからは、最少楽曲数と同数にするために、（最少楽曲数＋１）番目以降の楽曲が除かれる。そして、残りの楽曲を、各ユーザが１曲ずつ順に歌える歌順となるように並べることで再生楽曲リストが作成されるのである。
【００６２】
また、本実施形態では、カラオケ装置３０がＤＡＰ１０Ａ〜１０Ｃから送られたプレイリストＡ〜Ｃに基づいて再生楽曲リストを作成しているが、リモコン装置で再生楽曲リストを作成してもよい。この場合、リモコン装置には、ＤＡＰ１０Ａ〜１０Ｃとの通信が可能なＤＡＰ用通信部と、楽曲データベースを記憶する記憶部とが搭載される。そして、リモコン装置の制御部は、ＤＡＰ１０Ａ〜１０Ｃから送信されたプレイリストＡ〜Ｃの楽曲情報データをＤＡＰ用通信部で受信すると、複数のＤＡＰ１０Ａ〜１０ＣそれぞれのプレイリストＡ〜Ｃの中から、少なくとも２つのプレイリストＡ〜Ｃで共通する楽曲を抽出して、当該抽出された楽曲を楽曲データベースから検索し、検索された楽曲に基づいて再生楽曲リストを作成し、当該再生楽曲リストを選曲指示としてカラオケ装置に送信するようになっている。
また、リモコン装置は、楽曲情報データに対応する楽曲が楽曲データベース内にない場合には、当該楽曲の追加をリクエストするリクエスト指示をカラオケ装置３０装置に送信してもよい。この場合、カラオケ装置は、リモコン装置からのリクエスト指示を受信すると、当該リクエスト指示を管理装置に送信することになる。
【図面の簡単な説明】
【００６３】
【図１】本実施形態に係るカラオケシステムの主制御構成を表すブロック図である。
【図２】図１のカラオケシステムに備わるＤＡＰ及びカラオケ装置の各動作タイミングを表すタイミングチャートである。
【図３】図１のカラオケシステムによる再生楽曲リストの作成例を表す説明図である。
【符号の説明】
【００６４】
１      カラオケシステム（プレイリスト作成システム）
２０      カラオケユニット（楽曲再生ユニット）
３０      カラオケ装置（再生装置）
４０      リモコン装置
５０      管理装置
【図１】
2008158047.tif 000005
【図２】
2008158047.tif 000006
【図３】
2008158047.tif 000007